(57)【要約】【課題】  先端が鋭利に形成され刺入時および刺通時の抵抗が小さい注射針および人または動物に刺入して使用される電極針を提供する。【解決手段】  先端が斜めにカットされてなる第１カット面ＣＳ０と、先端が尖るように第１カット面ＣＳ０の先端両サイドがカットされてなる第２カット面ＣＳＢとを有し、少なくとも針管３の外周面が樹脂でコーティングされてなる注射針１において、第２カット面ＣＳＢを含む、軸方向の位置より先端側の外面にはコーティング膜１００が形成されていないことを特徴とする注射針１。【選択図】  図２
2014004249.tif 000002
【特許請求の範囲】
【請求項１】
先端が斜めにカットされてなる第１カット面と、先端が尖るように前記第１カット面の先端両サイドがカットされてなる第２カット面とを有し、少なくとも針管の外周面が樹脂でコーティングされてなる注射針において、
前記第２カット面を含む、軸方向の位置より先端側の外面にはコーティング膜が形成されていないことを特徴とする注射針。
【請求項２】
前記第２カット面が、前記第１カット面の先端両サイドを正面側からカットすることで形成され、
さらに、第３カット面が、先端の両サイドを背面側からカットすることで形成されている請求項１に記載の注射針。
【請求項３】
前記コーティングが針管の内面にも形成されていることを特徴とする請求項１または２に記載の注射針。
【請求項４】
前記樹脂がフッ素樹脂またはパラキシリレン樹脂であることを特徴とする請求項１から３の何れかに記載の注射針。
【請求項５】
先端が斜めにカットされてなる第１カット面と、先端が尖るように前記第１カット面の先端両サイドがカットされてなる第２カット面とを有し、少なくとも針身の外周面が樹脂でコーティングされてなる人または動物に刺入して使用される電極針において、
前記第２カット面を含む、軸方向の位置より先端側の外面にはコーティング膜が形成されていないことを特徴とする電極針。
【請求項６】
前記第２カット面が、前記第１カット面の先端両サイドを正面側からカットすることで形成され、
さらに、第３カット面が、先端の両サイドを背面側からカットすることで形成されている請求項５に記載の電極針。
【請求項７】
前記樹脂がフッ素樹脂またはパラキシリレン樹脂であることを特徴とする請求項５または６に記載の電極針。
【発明の詳細な説明】
【技術分野】
【０００１】
本発明は、先端が鋭利に形成され、刺入時および刺通時の抵抗が小さい樹脂コーティングされた注射針および人または動物に刺入して使用される電極針に関し、樹脂コーティングされていない針の利点と樹脂コーティングされた針の利点を兼ね備えた注射針および電極針に関する。
【背景技術】
【０００２】
注射針に施される技術として、（１）刺通抵抗を小さくするための注射針に施される技術、（２）筋肉等から電気情報を取得するために注射針に施される技術が知られている。
注射針の先端は、斜めのフラット面にカットされる（カット面はベベルとも称される）。
図１０の斜視図に示すように、注射針８の先端を単に斜めに形成したカット面ＣＳの形状は、フラット・ベベル・ポイントと称されている。フラット・ベベル・ポイントは、注射針を刺したときの抵抗（刺通抵抗）が大きく、痛みが大きい。このため、先端を鋭利に形成した刺通抵抗が小さい注射針が使用される。
【０００３】
この種の典型的な注射針の先端形状は、バックカット・ベベル・ポイント、ランセット・ベベル・ポイントと呼ばれている。
図１１の斜視図に示すように、バックカット・ベベル・ポイントでは、フラットカット面（第１カット面ＣＳ０）とは反対側（背面側）に２段目のカット面（第２カット面ＣＳＢ）が形成されている。
【０００４】
図１２の斜視図に示すように、ランセット・ベベル・ポイントでは、フラットカット面（第１カット面ＣＳ０）と同じ側（正面側）に２段目のカット面（第２カット面ＣＳＦ）が形成されている（特許文献１等）。
上記したように、注射針８の刃先を２段にすることで先端が鋭くなり、その部分がメスで皮膚を切るような働きをする。これにより、先端が皮膚に刺さる瞬間の抵抗がほとんどないため、感じる痛みが小さくなる。
ところで、注射針８の針管８１は金属からなり、側面は平滑ではない。このため、注射針の刺入時に、注射針の側面と皮膚組織とが擦過して痛みが大きくなる。
【先行技術文献】
【特許文献】
【０００５】
【特許文献１】特開２００５−０９５５７１
【発明の開示】
【発明が解決しようとする課題】
【０００６】
この不都合を解消するために、図１３（Ａ）に示すように、針管８１をフッ素樹脂等の樹脂１００によりコーティングすることも行われる。
たとえば、フッ素樹脂のコーティングは、通常は、液状フッ素樹脂を注射針８に塗布することにより行われる。液状フッ素樹脂は、注射針の針管８１の素材と馴染みにくいこと、および表面張力が大きいことから、コーティング膜にピンホールが生じやすくなる。このため、フッ素樹脂で針管８１をコーティングする場合には、膜厚を大きくせざるをえない（たとえば、数十ミクロン）。このようなことから、フッ素樹脂でコーティングした注射針では、先端での皮膚を切る働きが低下する。
【０００７】
一方、筋電図用電極として使用する注射針では、筋肉から電気情報を取得する必要がある。したがって、樹脂でコーティングした注射針は、通常、先端もコーティングされているので、筋電図用として不向きである。
このため、図１３（Ｂ）に示すように第１カット面ＣＳ０だけが樹脂コーティングされていない注射針（先端に金属露出面を有する注射針）を使用することも可能であろう。具体的には、第１カット面ＣＳ０に被覆されている樹脂をピーリングにより除去することで、注射針の先端に金属を露出させることができる。これにより、注射針８の先端の金属露出面が筋肉に直接接触できるので、筋肉から電気情報を取得することができるし、鋭い先端で皮膚を切ることもできる。
【０００８】
しかし、第１カット面ＣＳ０だけが樹脂コーティングされていない注射針では、図１３（Ｃ）に示すように樹脂コーティングが注射針８の先端から剥離する可能性がある。図１３（Ｃ）では剥離部分をＱで示す。
【０００９】
なお、仮に、筋電図用電極として使用する注射針では、図１３（Ｃ）に示すような剥離が生じないとしても、塗布により樹脂コーティングを行う注射針では、針管８１の液路を介した電気情報がノイズとして取得され、正確な測定ができないという問題がある。
【００１０】
図１４（Ａ）に示すような電極針について被覆を行う場合にも、図１４（Ｂ）に示すように第１カット面ＣＳ０だけ樹脂コーティングを除去して使用することがある。この場合にも、注射針８と同様、図１４（Ｃ）に示すように樹脂コーティングが電極針９の先端から剥離する可能性がある。なお、図１４（Ａ），（Ｂ），（Ｃ）において、第１カット面を符号ＣＳ０で示し、第１カット面（バックカット面）を符号ＣＳＢで示し、コーティング膜を符号１００で示し、剥離部を符号Ｑで示してある。
【００１１】
本発明の目的は、先端が鋭利に形成され刺入時および刺通時の抵抗が小さい注射針および人または動物に刺入して使用される電極針を提供することであり、具体的には、樹脂コーティングされていない針の利点と樹脂コーティングされた針の利点を兼ね備えた注射針および電極針を提供することである。
【課題を解決するための手段】
【００１２】
本発明の注射針は、以下を要旨とする。
（１）  先端が斜めにカットされてなる第１カット面と、先端が尖るように前記第１カット面の先端両サイドがカットされてなる第２カット面とを有し、少なくとも針管の外周面が樹脂でコーティングされてなる注射針において、
前記第２カット面を含む、軸方向の位置より先端側の外面にはコーティング膜が形成されていないことを特徴とする注射針。
（２）
前記第２カット面が、前記第１カット面の先端両サイドを正面側からカットすることで形成され、
さらに、第３カット面が、先端の両サイドを背面側からカットすることで形成されている（１）に記載の注射針。
（３）  前記コーティングが針管の内面に形成されていることを特徴とする（１）または（２）に記載の注射針。
（４）  前記樹脂がフッ素樹脂またはパラキシリレン樹脂であることを特徴とする（１）から（３）の何れかに記載の注射針。
本発明の注射針では、上述したように、コーティングのための樹脂としてフッ素樹脂またはパラキシリレン樹脂を使用することができる。これにより、刺入時の滑りの改善が図られる。
本発明の注射針を、筋電図等を取得する際の電極針として使用する場合には、先端側のコーティングされていない部分（金属露出部分）から、人や動物の筋肉の電気情報を取得することができる。
ところで、フッ素樹脂は表面張力が大き等の理由から、フッ素樹脂で塗布する場合にはピンホールが生じやすい。このような場合には、コーティングのための樹脂としてパラキシリレン樹脂が好ましく使用される。
【００１３】
本発明の電極針は、以下を要旨とする。
（５）
先端が斜めにカットされてなる第１カット面と、先端が尖るように前記第１カット面の先端両サイドがカットされてなる第２カット面とを有し、少なくとも針身の外周面が樹脂でコーティングされてなる人または動物に刺入して使用される電極針において、
前記第２カット面を含む、軸方向の位置より先端側の外面にはコーティング膜が形成されていないことを特徴とする電極針。
（６）
前記第２カット面が、前記第１カット面の先端両サイドを正面側からカットすることで形成され、
さらに、第３カット面が、先端の両サイドを背面側からカットすることで形成されている（５）に記載の電極針。
（７）
前記樹脂がフッ素樹脂またはパラキシリレン樹脂であることを特徴とする（５）または（６）に記載の電極針。
本発明の電極では、上述したように、コーティングのための樹脂としてフッ素樹脂またはパラキシリレン樹脂を使用することができる。これにより、刺入時の滑りの改善が図られる。
本発明の電極針では、筋電図等を取得する際に、先端側のコーティングされていない部分（金属露出部分）から、人や動物の筋肉の電気情報を取得する。
ところで、フッ素樹脂は表面張力が大き等の理由から、フッ素樹脂で塗布する場合にはピンホールが生じやすい。このような場合には、コーティングのための樹脂としてパラキシリレン樹脂が好ましく使用される。
【発明の効果】
【００１４】
本発明の注射針および電極針は、樹脂コーティングされていない針の利点と樹脂コーティングされた針の利点を兼ね備えている。
すなわち、本発明の注射針および電極針では、先端が鋭利に形成されかつ先端の第２カット面を含む、軸方向の位置より先端側の外面にはコーティング膜が形成されていないので、先端が鋭利に形成され刺入時および刺通時の抵抗が小さい注射針および電極針を提供することができる。
【図面の簡単な説明】
【００１５】
【図１】図１は本発明の注射針の全体を示す図である。
【図２】図２は本発明の注射針の実施形態（バックカット・ベベル・ポイントタイプの注射針の一例）を示す斜視図である。
【図３】図３（Ａ）は図１の注射針の正面図、図３（Ｂ）は同じく背面図である。
【図４】図４は本発明の注射針の実施形態（バックカット・ベベル・ポイントタイプの注射針の他の例）を示す斜視図である。
【図５】図５（Ａ）は図４の注射針の正面図、図５（Ｂ）は同じく背面図である。
【図６】図６は本発明の注射針の実施形態（ランセット・ベベル・ポイントタイプの注射針）を示す斜視図である。
【図７】図７（Ａ）は図６の注射針の正面図、図７（Ｂ）は同じく背面図である。
【図８】図８は本発明の電極針の実施形態（バックカット・ベベル・ポイントタイプの電極針）を示す斜視図である。
【図９】図９（Ａ）は図８の電極針の正面図、図９（Ｂ）は同じく背面図である。
【図１０】図１０は、従来の注射針（フラット・ベベル・ポイントタイプの注射針）を示す斜視図である。
【図１１】図１１は、従来の注射針（バックカット・ベベル・ポイントタイプの注射針）を示す斜視図である。
【図１２】図１２は、従来の注射針（ランセット・ベベル・ポイントタイプの注射針）を示す斜視図である。
【図１３】図１３（Ａ）は針管をフッ素樹脂等の樹脂によりコーティングした従来の注射針を示す図、図１３（Ｂ）は第１カット面だけが樹脂コーティングされていない注射針（先端に金属露出面を有する注射針）を示す図、図１３（Ｃ）は図１３（Ｂ）の注射針の問題点を示す図である。
【図１４】図１４（Ａ）は針身をフッ素樹脂等の樹脂によりコーティングした従来の生体用に使用される電極針を示す図、図１４（Ｂ）は第１カット面だけが樹脂コーティングされていない生体用の電極針を示す図、図１３（Ｃ）は図１３（Ｂ）の電極針の問題点を示す図である。
【発明を実施するための形態】
【００１６】
以下本発明の注射針および電極針の実施形態を説明する。なお、本発明の注射針および電極針は、医療用のみならず、試験・実験用としても使用できる。また、人体用として使用できることはもちろん、動物用としても使用できる。
【００１７】
図１は本発明の注射針の全体を示す図である。
図１において、注射針１はハブ（針基２）と針管３とから構成されている。
本発明の注射針の実施形態を、図２から図７により説明する。なお、図２から図７においては針先部Ｔのみを図示する。
【００１８】
図２は本発明の注射針の実施形態（バックカット・ベベル・ポイントタイプの注射針１Ａ）を示す斜視図である。図３（Ａ）は図１の注射針１Ａの正面図、図３（Ｂ）は同じく背面図である。
本実施形態において、注射針１Ａは、先端が斜めにカットされてなる第１カット面ＣＳ０と、先端が尖るように第１カット面ＣＳ０（フラットカット面）の先端両サイドが背面側からカットされてなる第２カット面ＣＳＢ（バックカット面）とを有している。
本実施形態の注射針１Ａは、針管３の外周面がパラキシリレン樹脂（樹脂１００）でコーティングされている。ただし、第２カット面ＣＳＢ（バックカット面）を含む、軸方向の位置より先端側の外面にはコーティング膜が形成されていない。
本実施形態の注射針１Ａでは、針管３の内壁ＩＮにも樹脂１００によるコーティング膜が形成されている。
【００１９】
樹脂１００として、絶縁性のフッ素樹脂，パラキシリレン樹脂等が使用できる。
コーティングは、樹脂の種類に応じて、蒸着により行ってもよいし、塗布・ディッピング・吹付けにより行ってもよいし。
蒸着によるコーティングでは、たとえば、パラキシリレン樹脂の場合には、膜厚δを、１μｍ≦δ≦１０μｍ、好ましくは、３μｍ≦δ≦５μｍの範囲に調整することができる。
たとえば、パラキシリレン樹脂の蒸着によるコーティングの場合には、針管が針基に取り付けられた状態で注射針の蒸着を行う。針基および注射針の先端をマスキングフィルムによりマスキングしておく。
また、針基のみをマスキングしておき、注射針の先端に形成されたパラキシリレン樹脂の薄膜をカッターを用いて剥がす（ピーリングする）こともできる。本明細書の実施形態では、この方法を用いて樹脂がコーティングされない領域を注射針の先端に形成している。
【００２０】
塗布（吹付け）によるコーティングでは、たとえば、フッ素樹脂の場合には、膜厚δを、３０μｍ≦δ≦１００μｍ、好ましくは、３０μｍ≦δ≦４０μｍとすることができる。
この場合にも、パラキシリレン樹脂の蒸着の場合と同様、針基および注射針の先端をマスキングフィルムによりマスキングしておくこともできるし、針基のみをマスキングしておき、注射針の先端に形成されたフッ素樹脂の薄膜をカッターを用いて剥がす（ピーリングする）こともできる。
【００２１】
図４は本発明の注射針の実施形態（バックカット・ベベル・ポイントタイプの注射針１Ｂ）を示す斜視図である。図５（Ａ）は図４の注射針１Ｂの正面図、図５（Ｂ）は同じく背面図である。
本実施形態の注射針１は、図２および図３（Ａ），（Ｂ）で説明した注射針１Ａと比べて、第２カット面ＣＳＢ（バックカット面）は小さく形成されている。ただし、これ以外の構成は、図２および図３（Ａ），（Ｂ）で説明した注射針１Ａと概ね同じである。
【００２２】
図６は本発明の注射針の実施形態（ランセット・ベベル・ポイントタイプの注射針１Ｃ）を示す斜視図である。図７（Ａ）は図１の注射針１Ｃの正面図、図７（Ｂ）は同じく背面図である。
本実施形態において、注射針１Ｃは、先端が斜めにカットされてなる第１カット面ＣＳ０と、先端が尖るように第１カット面ＣＳ０（フラットカット面）の先端両サイドが正面側からカットされてなる第２カット面ＣＳＦ（ランセットカット面）とを有している。
本実施形態の注射針１Ｃは、針管３の外周面がパラキシリレン樹脂（樹脂１００）でコーティングされている。ただし、第２カット面ＣＳＦ（ランセットカット面）を含む、軸方向の位置より先端側の外面にはコーティング膜が形成されていない。
本実施形態の注射針１Ｃでは、針管３の内壁ＩＮにも樹脂１００によるコーティング膜が形成されている。
以上述べたように、注射針１Ａ，１Ｂ，１Ｃは、先端が鋭利に形成されかつ先端の第２カット面（ＣＳＢ，ＣＳＦ）を含む、軸方向の位置より先端側の外面には樹脂１００が形成されていない。したがって、先端が鋭利に形成され刺入時および刺通時の抵抗が小さい注射針１Ａ，１Ｂ，１Ｃが提供できる。
【００２３】
図１から図７に示した注射針は、電極（たとえば、筋電図用電極）としても使用することができる。この場合には、針基（図１の符号２参照）を金属により構成し、この針基に電気信号取得用のクリップを装着して電気信号を取得することができる。
【００２４】
なお、図示はしないが、本発明の注射針は、第１カット面、第２カット面および第３カット面を持つように構成できる。第１カット面は、針の先端を斜めにカットすることで形成し、第２カット面を針の先端両サイドを正面側からカットすることで形成する。すなわち、第２カット面は図６および図７（Ａ），（Ｂ）に示したランセットカット面である。この態様では、さらに、第３カット面を、先端の両サイドを背面側からカットすることで形成する。このように構成することで、刺通時の抵抗がより小さい注射針が提供される。
【００２５】
本発明の電極針は、図１から図７のような針管を持たないが、外観は図１から図７において説明した注射針と同じである。本発明の電極針は、針身の金属が単一層により形成されていてもよいし、針身の金属が複数層により形成されていてもよい。
以下、本発明の電極針の実施形態を説明する。電極針は、本実施形態では図示を省略するが、図１の注射針１と同様、ハブ（針基）と針身とから構成することができる。電極針でも、図１の注射針１と同様、針基を金属により構成し、この針基に電気信号取得用のクリップを装着して電気信号を取得することができる。
【００２６】
図８は電極針の実施形態（バックカット・ベベル・ポイントタイプの電極針４）を示す斜視図である。図９（Ａ）は図８の電極針４の正面図、図９（Ｂ）は同じく背面図である。
本実施形態において、電極針４は、先端が斜めにカットされてなる第１カット面ＣＳ０と、先端が尖るように第１カット面ＣＳ０（フラットカット面）の先端両サイドがカットされてなる第２カット面ＣＳＢ（ランセットカット面）とを有している。
本実施形態の電極針４は、針身６の外周面が絶縁性樹脂、たとえばパラキシリレン樹脂（樹脂１００）でコーティングされている。ただし、第２カット面ＣＳＢ（バックカット面）を含む、軸方向の位置より先端側の外面にはコーティング膜が形成されていない。
以上述べたように、電極針４は、先端が鋭利に形成されかつ先端の第２カット面ＣＳ０を含む、軸方向の位置より先端側の外面には樹脂１００が形成されていない。したがって、先端が鋭利に形成され刺入時および刺通時の抵抗が小さい電極針４が実現される。
【００２７】
なお、図示はしないが、本発明の電極針は、第１カット面、第２カット面および第３カット面を持つように構成できる。第１カット面は、針の先端を斜めにカットすることで形成し、第２カット面を針の先端両サイドを正面側からカットすることで形成する。すなわち、第２カット面はランセットカット面である（注射針についての図６および図７（Ａ），（Ｂ）参照）。この態様では、さらに、第３カット面を、先端の両サイドを背面側からカットすることで形成する。このように構成することで、刺通時の抵抗がより小さい電極針が提供される。
【符号の説明】
【００２８】
１，８  注射針
１Ａ，１Ｂ，１Ｃ  注射針
２  針基
３，８１  針管
４，９  電極針
６  電極針の針身
１００  樹脂
ＣＳ  カット面
ＣＳ０  第１カット面
ＣＳＢ，ＣＳＦ  第２カット面
ＩＮ    内壁
δ    膜厚
Ｔ  針先部
【図１】
2014004249.tif 000003
【図２】
2014004249.tif 000004
【図３】
2014004249.tif 000005
【図４】
2014004249.tif 000006
【図５】
2014004249.tif 000007
【図６】
2014004249.tif 000008
【図７】
2014004249.tif 000009
【図８】
2014004249.tif 000010
【図９】
2014004249.tif 000011
【図１０】
2014004249.tif 000012
【図１１】
2014004249.tif 000013
【図１２】
2014004249.tif 000014
【図１３】
2014004249.tif 000015
【図１４】
2014004249.tif 000016